(57)【要約】【課題】本発明は天井部材と天井躯体との間に大きなスペースがなくとも、地震等での左右の建物の異なる前後左右方向の揺れ動きを吸収することができる天井用目地装置を得るにある。【解決手段】一方の建物の目地部側の天井部材と先端部が所定量重なり側壁部位とは遊びを有するように端部が上下方向のいずれかの傾斜面の傾斜に形成され、後端部が他方の建物の躯体に固定された天井目地カバーと、この天井目地カバーの一方の建物の側壁側の傾斜により形成された空間を覆うことができかつ一方の建物の側壁による押し圧によって、天井目地カバーの傾斜部の傾斜面によって上方あるいは下方へスライド移動可能な傾斜面を有する端部天井目地カバーと、この端部天井目地カバーを支持するとともに上方あるいは下方へスライド移動可能に支持する他方の建物の躯体に取付けられた端部天井目地カバー支持具と、端部天井目地カバーの遊端部を常時前記一方の建物の側壁方向に付勢する付勢機構とで天井用目地装置を構成している。【選択図】  図２
2005061074.tif 000002
【特許請求の範囲】
【請求項１】
目地部を介して設けられた左右の建物の、一方の建物の目地部側の天井部材と先端部が所定量重なり、一方の建物の側壁部位とは遊びを有するように端部が上下方向のいずれかの傾斜面の傾斜に形成され、後端部が該一方の建物の天井部材と対応する部位の他方の建物の躯体に固定された天井目地カバーと、この天井目地カバーの一方の建物の側壁側の傾斜により形成された空間を覆うことができ、かつ一方の建物の側壁による押し圧によって、前記天井目地カバーの傾斜部の傾斜面によって上方あるいは下方へスライド移動可能な傾斜面を有する端部天井目地カバーと、この端部天井目地カバーを支持するとともに、上方あるいは下方へスライド移動可能に支持する、前記他方の建物の躯体に取付けられた端部天井目地カバー支持具と、前記端部天井目地カバーの遊端部を、常時前記一方の建物の側壁方向に付勢する付勢機構とからなることを特徴とする天井用目地装置。
【請求項２】
目地部を介して設けられた左右の建物の、一方の建物の目地部側の天井部材と先端部が所定量重なり、一方の建物の側壁部位とは遊びを有するように端部が上下方向のいずれかの傾斜面に形成され、後端部が該一方の建物の天井部材と対応する部位の、他方の建物の躯体に固定された台形状の天井目地カバーと、この天井目地カバーの両端部の遊び部分を覆うことができ、かつ一方の建物の側壁による押し圧によって、前記天井目地カバーの傾斜面によって上方あるいは下方へスライド移動可能な傾斜面を有する一対の端部天井目地カバーと、この一対の端部天井目地カバーを支持するとともに、上方あるいは下方へスライド移動可能に支持する、前記他方の建物の躯体に取付けられた一対の端部天井目地カバー支持具と、前記一対の端部天井目地カバーの遊端部を、常時前記一方の建物の側壁方向に付勢する一対の付勢機構とからなることを特徴とする天井用目地装置。
【発明の詳細な説明】
【技術分野】
【０００１】
本発明は目地部を介して設けられた左右の建物の天井部分の目地部を覆う天井用目地装置に関する。
【背景技術】
【０００２】
従来の天井用目地装置は、目地部を介して建てられた左右の建物の一方の建物の天井部位の躯体に取付けられた、天井材の目地部側端部に形成された目地カバー押し上げ片と、この目地カバー押し上げ片と対向する部位の、前記左右の建物の他方の建物の躯体の前後方向に固定されたガイドレールと、このガイドレールにスライド移動可能に取付けられた移動体と、この移動体に後端部が枢支され、前記目地カバー押し上げ片と当接する先端部が前記目地部が狭くなると、該目地カバー押し上げ片によって上方へ回動される目地カバーと、この目地カバーの先端部の上方への回動が可能で、下方への回動を阻止する保持具とで構成されている。
【０００３】
したがって、目地部が狭くなると目地カバーの先端部が上方へ回動するため、天井躯体と天井部材との間に大きなスペースがないと設置することができないという欠点があった。
【特許文献１】特許３４０８１８1号公報
【発明の開示】
【発明が解決しようとする課題】
【０００４】
本発明は以上のような従来の欠点に鑑み、天井部材と天井躯体との間に大きなスペースがなくとも、地震等での左右の建物の異なる前後左右方向の揺れ動きを吸収することができる天井用目地装置を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の、一方の建物の目地部側の天井部材と先端部が所定量重なり、一方の建物の側壁部位とは遊びを有するように端部が上下方向のいずれかの傾斜面の傾斜に形成され、後端部が該一方の建物の天井部材と対応する部位の他方の建物の躯体に固定された天井目地カバーと、この天井目地カバーの一方の建物の側壁側の傾斜により形成された空間を覆うことができ、かつ一方の建物の側壁による押し圧によって、前記天井目地カバーの傾斜部の傾斜面によって上方あるいは下方へスライド移動可能な傾斜面を有する端部天井目地カバーと、この端部天井目地カバーを支持するとともに、上方あるいは下方へスライド移動可能に支持する、前記他方の建物の躯体に取付けられた端部天井目地カバー支持具と、前記端部天井目地カバーの遊端部を、常時前記一方の建物の側壁方向に付勢する付勢機構とで天井用目地装置を構成している。
【発明の効果】
【０００７】
以上の説明から明らかなように、本発明にあっては次に列挙する効果が得られる。
【０００８】
（１）目地部を介して設けられた左右の建物の、一方の建物の目地部側の天井部材と先端部が所定量重なり、一方の建物の側壁部位とは遊びを有するように端部が上下方向のいずれかの傾斜面の傾斜に形成され、後端部が該一方の建物の天井部材と対応する部位の他方の建物の躯体に固定された天井目地カバーと、この天井目地カバーの一方の建物の側壁側の傾斜により形成された空間を覆うことができ、かつ一方の建物の側壁による押し圧によって、前記天井目地カバーの傾斜部の傾斜面によって上方あるいは下方へスライド移動可能な傾斜面を有する端部天井目地カバーと、この端部天井目地カバーを支持するとともに、上方あるいは下方へスライド移動可能に支持する、前記他方の建物の躯体に取付けられた端部天井目地カバー支持具と、前記端部天井目地カバーの遊端部を、常時前記一方の建物の側壁方向に付勢する付勢機構とで構成されているので、地震等によって左右の建物が異なる前後方向に揺れ動いた場合には、端部天井目地カバーが一方の建物の側壁による押し圧によって、天井目地カバーの端部の傾斜面と対応する端部天井目地カバーの傾斜面によって上方あるいは下方へ移動しながら天井目地カバーと重なり、その揺れ動きを吸収することができる。
したがって、異なる前後方向の揺れ動きを、天井目地部を天井目地カバーと端部天井目地カバーで隙間なく覆っていても、確実に吸収することができる。
【０００９】
（２）前記（１）によって、左右の建物が異なる左右方向に揺れ動いた場合には、天井目地カバーおよび端部天井目地カバーの先端部が天井部材と重なり状態でスライド移動し、その揺れ動きを吸収することができる。
したがって、天井部材と天井躯体との間に大きなスペースがなくとも、その揺れ動きを吸収することができる。
【００１０】
（３）前記（１）によって、構造が簡単で、容易に設置することができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図１０に示す本発明を実施するための最良の第１の形態において、1は目地部2を介して設けられた左右の建物３、3の天井部分の目地部を覆う本発明の天井用目地装置で、この天井用目地装置1は前記左右の建物３、3の、一方の建物３の目地部側の天井部材４と先端部が所定量重なり、一方の建物３の両側壁５、５部位とは三角形状の遊び空間６、６を有するように傾斜７、７が形成され、後端部が該一方の建物３の天井部材４と対応する部位の他方の建物３の躯体３ａに複数個の固定金具８で固定された台形状の天井目地カバー９と、この天井目地カバー９の両端部の傾斜７、７と前記一方の建物３の両側壁５、５により形成された遊び空間６、６を覆うことができ、かつ一方の建物３の両側壁５、５による押し圧によって、下方へスライド移動可能な一対の端部天井目地カバー１０、１０と、この一対の端部天井目地カバー１０、１０を常時上方へ付勢し、回動可能に支持する、前記他方の建物３の躯体３ａに取付けられた一対の端部天井目地カバー支持具１１、１１と、前記一対の端部天井目地カバー１０、１０の遊端部を常時前記一方の建物３の側壁５、５方向へ付勢する一対の付勢機構１２、１２とで構成されている。
【００１４】
前記天井目地カバー９は図４に示すように、台形状に形成された天井目地カバー本体１３と、この天井目地カバー本体１３の両端部に形成された、下部より上部側が外方へ突出する傾斜面１４、１４と、前記天井目地カバー本体１３の先端上部に形成されたガイド傾斜１５とで形成されている。
【００１５】
前記固定金具８は図５に示すように、三角形状の固定金具本体１６と、この固定金具本体１６の後端部よりほぼ直角方向に突出する複数個のビス挿入孔１７、１７が形成された躯体取付片１８と、前記固定金具本体１６の底面よりほぼ直角方向に突出する複数個のビス挿入孔１９、１９が形成された天井目地カバー取付片２０とで構成されている。
【００１６】
前記一対の端部天井目地カバー１０、１０は図６に示すように、三角形状の端部天井目地カバー本体２１と、この端部天井目地カバー本体    ２１の前記天井目地カバー９の両端部と接触する部位に形成された、上部よりも下部が外方へ突出する傾斜面２２と、前記端部天井目地カバー本体２１の先端上部に形成されたガイド傾斜２３とで形成されている。
【００１７】
前記一対の端部天井目地カバー支持具１１、１１は図７に示すように、前記天井目地カバー９の後端部の両側部の他方の建物３の躯体３ａに複数本のビス２４等によって固定された支持筒２５と、この支持筒２５内を貫通する前記端部天井目地カバー１０の後端部に下端部が固定された支持軸２６と、この支持軸２６の上端部に固定された一方の建物３方向に突出する支持アーム２７と、この支持アーム２７を常時前記天井目地カバー９の上面と端部天井目地カバー１０の上面が一致するように付勢する付勢スプリング２８とで構成されている。
【００１８】
前記一対の付勢機構１２、１２は一端部が前記支持アーム２７の先端部にビス２９等によって取付けられ、他端部が前記支持筒２５の外側部位の他方の建物３の躯体３ａに取付金具３０で取付けられたコイルスプリング３１とで構成されている。
【００１９】
上記構成の天井用目地装置１は、通常時には天井目地部２を天井目地カバー９と一対の端部天井目地カバー１０、１０によって覆われている。
地震等によって左右の建物３、３が異なる左右方向に揺れ動いた場合には、図８に示すように天井目地カバー９と、一対の端部天井目地カバー１０、１０の先端部が天井部材４に沿ってスライド移動して、その揺れ動きを吸収する。
この時、天井目地カバー９と一対の端部天井目地カバー１０、１０の先端部が天井部材４の端部と離れても、天井目地カバー９の先端部のガイド傾斜１５、一対の端部天井目地カバー１０、１０のガイド傾斜２３、２３によって、自動的に元の状態へ戻る。
【００２０】
左右の建物３、３が異なる前後方向に揺れ動いた場合には、図９および図１０に示すように一方の建物３の両側壁５、５によって、一対の端部天井目地カバー１０、１０が天井目地カバー９方向へ押し圧され、傾斜面１４、２２によって、一対の端部天井目地カバー１０、１０が端部天井目地カバー支持具１１、１１の付勢スプリング２８、２８の付勢力に抗して下方へ移動しながら天井目地カバー９方向へ回動して、その揺れ動きを吸収するとともに、揺れ動きが停止すると一対の付勢機構１２、１２のコイルスプリング３１、３１の付勢力によって、自動的に元の状態へ戻す。
[発明を実施するための異なる形態]
【００２１】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１１ないし図１３に示す本発明を実施するための第２の形態において、前記前記本発明を実施するための最良の第１の形態と主に異なる点は、天井部材４の上面に天井目地カバー９Ａの先端部および一対の端部天井目地カバー１０Ａ、１０Ａを位置させ、該一対の端部天井目地カバー１０Ａ、１０Ａが左右の建物３、３が異なる前後方向に揺れ動いた場合に、天井目地カバー９Ａの上部へスライド移動できるように傾斜面２２、１４を形成し、上部が傾斜面３２に形成された支持筒２５Ａ、２５Ａで支持軸２６、２６を支持する一対の端部天井目地カバー支持具１１Ａ、１１Ａを用いた点で、このように構成した天井用目地装置１Ａにしても、前記本発明を実施するための最良の第１の形態と同様な作用効果が得られる。
【００２３】
図１４ないし図１６に示す本発明を実施するための第３の形態において、前記本発明を実施するための第２の形態と主に異なる点は、一端部にだけ側壁５を有する部位に端部天井目地カバー１０Ａを設置するとともに、端部天井目地カバー１０Ａと一方の建物３の側壁５とに付勢機構１２Ａを取付けた点で、このように構成した天井用目地装置１Ｂにしても、前記本発明を実施するための第２の形態と同様な作用効果が得られる。
【産業上の利用可能性】
【００２４】
本発明は天井用目地装置を製造する産業および、該装置を設置する産業で利用される。
【図面の簡単な説明】
【００２５】
【図１】本発明を実施するための最良の第１の形態の横断面図。
【図２】本発明を実施するための最良の第１の形態の底面図。
【図３】本発明を実施するための最良の第１の形態の平面図。
【図４】本発明を実施するための最良の第１の形態の天井目地カバーの説明図。
【図５】本発明を実施するための最良の第１の形態の固定金具の説明図。
【図６】本発明を実施するための最良の第１の形態の端部天井目地カバーの説明図。
【図７】本発明を実施するための最良の第１の形態の端部天井目地カバー支持具の説明図。
【図８】本発明を実施するための最良の第１の形態の異なる左右方向の動作説明図。
【図９】本発明を実施するための最良の第１の形態の異なる前後方向の動作説明用底面図。
【図１０】図９の１０−１０線に沿う断面図。
【図１１】本発明を実施するための第２の形態の横断面図。
【図１２】本発明を実施するための第２の形態の底面図。
【図１３】本発明を実施するための第２の形態の平面図。
【図１４】本発明を実施するための第３の形態の横断面図。
【図１５】本発明を実施するための第３の形態の底面図。
【図１６】本発明を実施するための第３の形態の平面図。
【符号の説明】
【００２６】
１、１Ａ、１Ｂ：天井用目地装置、
２：目地部、                        ３：建物、
４：天井部材、                    ５：側壁、
６：遊び空間、                    ７：傾斜、
８：固定金具、                    ９、９Ａ：天井目地カバー、
１０、１０Ａ：端部天井目地カバー、
１１、１１Ａ：端部天井目地カバー支持具、
１２：付勢機構、                １３：天井目地カバー本体、
１４：傾斜面、                    １５：ガイド傾斜、
１６：固定金具本体、        １７：ビス挿入孔、
１８：躯体取付片、                        １９：ビス挿入孔、
２０：天井目地カバー取付片、
２１：端部天井目地カバー本体、
２２：傾斜面、                    ２３：ガイド傾斜、
２４：ビス、                                    ２５、２５Ａ：支持筒、
２６：支持軸、                    ２７：支持アーム、
２８：付勢スプリング、    ２９：ビス、
３０：取付金具、                ３１：コイルスプリング、
３２：傾斜面。
【図１】
2005061074.tif 000003
【図２】
2005061074.tif 000004
【図３】
2005061074.tif 000005
【図４】
2005061074.tif 000006
【図５】
2005061074.tif 000007
【図６】
2005061074.tif 000008
【図７】
2005061074.tif 000009
【図８】
2005061074.tif 000010
【図９】
2005061074.tif 000011
【図１０】
2005061074.tif 000012
【図１１】
2005061074.tif 000013
【図１２】
2005061074.tif 000014
【図１３】
2005061074.tif 000015
【図１４】
2005061074.tif 000016
【図１５】
2005061074.tif 000017
【図１６】
2005061074.tif 000018